(57)【特許請求の範囲】
【請求項１】
複数の基地局と、前記複数の基地局のうちの所定の基地局に待ち受ける複数の通信端末とを備え、
前記所定の基地局が、自基地局に対して待受け状態にある前記複数の通信端末に対して、所定の条件に応じて、他の基地局に対する捕捉の指示を示すリダイレクション情報を一斉に送信するリダイレクション情報送信手段を備える無線通信システムであって、
前記通信端末は、前記一斉に送信されたリダイレクション情報の受信に基づいて、前記他の基地局に待ち受けるために捕捉処理を行なう捕捉処理手段と、
前記リダイレクション情報の受信に基づく前記捕捉処理後の経過時間をカウントするカウント手段と、を備え、
前記捕捉処理手段は、前記カウント手段によって乱数発生により生成されたカウンタ値までカウントされたときに、前記待ち受けている他の基地局より優先度の高い基地局に対して捕捉処理を行う
ことを特徴とする無線通信システム。
【請求項２】
前記通信端末は、前記カウンタ値を乱数発生により生成するカウンタ値生成手段を備えることを特徴とする請求項１に記載の無線通信システム。
【請求項３】
前記基地局は、前記カウンタ値を乱数発生により生成するカウンタ値生成手段を備え、
前記リダイレクション情報と共に前記カウンタ値を前記通信端末へ送信する
ことを特徴とする請求項１に記載の無線通信システム。
【請求項４】
捕捉処理を行う基地局の優先度を記憶する捕捉優先度記憶手段をさらに備え、
前記捕捉処理手段は、前記記憶された優先度に基づき、前記待ち受けている他の基地局より優先度の高い基地局に対して捕捉処理を行う
ことを特徴とする請求項１から３のいずれか一項に記載の無線通信システム。
【請求項５】
複数の基地局と、前記複数の基地局のうちの所定の基地局に待ち受ける複数の通信端末とを備え、
前記所定の基地局が自基地局に待受け状態にある前記複数の通信端末に対して、所定の条件に応じて、他の基地局に対する捕捉の指示を示すリダイレクション情報を一斉に送信するリダイレクション情報送信手段を備える無線通信システムにおける無線通信方法であって、
前記通信端末は、前記リダイレクション情報の受信に基づいて、前記他の基地局に待ち受けるために捕捉処理を行ない、
前記リダイレクション情報の受信に基づく前記捕捉処理後の経過時間をカウントし、
乱数発生により生成されたカウンタ値までカウントされたときに、前記待ち受けている他の基地局よりも優先度の高い基地局に対する捕捉処理を実行する
ことを特徴とする無線通信方法。
【請求項６】
自基地局に対して待ち受け状態にある複数の通信端末に対して、所定の条件に応じて、他の基地局に対する捕捉の指示を示すリダイレクション情報を一斉に送信するリダイレクション情報送信手段を備えた基地局に待ち受け可能な通信端末であって、
前記リダイレクション情報の受信に基づいて、前記他の基地局に待ち受けるために捕捉処理を行なう捕捉処理手段と、
前記リダイレクション情報の受信に基づく前記捕捉処理後の経過時間をカウントするカウント手段と、を備え、
前記捕捉処理手段は、前記カウント手段によって乱数発生により生成されたカウンタ値までカウントされたときに、前記待ち受けている他の基地局よりも優先度の高い基地局に対する捕捉処理を実行する
ことを特徴とする通信端末。
【請求項７】
複数の基地局と、前記複数の基地局のうちの所定の基地局に待ち受ける複数の通信端末とを備え、
前記所定の基地局が自基地局に待受け状態にある複数の通信端末に対して、所定の条件に応じて、他の基地局に対する捕捉の指示を示すリダイレクション情報を一斉に送信するリダイレクション情報送信手段を備える無線通信システムにおいて実行させるプログラムであって、
前記リダイレクション情報の受信に基づいて、前記他の基地局に待ち受けるために捕捉処理を行なう捕捉処理と、
前記リダイレクション情報の受信に基づく前記捕捉処理後の経過時間をカウントするカウント処理と、
前記捕捉処理は、前記カウント処理によって乱数発生により生成されたカウンタ値までカウントされたときに、前記待ち受けている他の基地局よりも優先度の高い基地局に対して捕捉処理を行う
ことを特徴とするプログラム。
【発明の詳細な説明】
【技術分野】
【０００１】
本発明は、基地局と通信端末とが無線通信を行なう、無線通信システムおよび無線通信方法、無線通信システムにおける通信端末とそのプログラムに関する。
【背景技術】
【０００２】
従来、基地局と通信端末とがＣＤＭＡのデジタル移動通信方式などの通信方式を用いて無線通信を行なう無線通信システムにおいては、基地局における通信障害や送受信データの輻輳などの発生を契機に、当該基地局が、自基地局に対して待受け状態に移行している通信端末へ、他の基地局への待受け先の切り替えを促す処理を行なっている。この処理をリダイレクションと呼んでおり、基地局は通信端末に対してリダイレクション情報の送信を行なうと、通信端末側ではリダイレクション情報の受信によって、他の基地局へ待受け先を切り替える処理を行なう。なお、基地局と通信端末とがＣＤＭＡ（Code Division Multiple Access）のデジタル移動通信方式を用いて無線通信を行なう無線通信システムにおいて、必要に応じてリダイレクションの情報を携帯端末に指示する技術が特許文献１が公開されている。
【特許文献１】特開２００４−２９７４８０号公報
【発明の開示】
【発明が解決しようとする課題】
【０００３】
ところで、上述のようなリダイレクションの処理において、当該リダイレクションの情報を受信する通信端末は、一斉にリダイレクション情報を受信する。そして各通信端末は当該情報の受信に伴うリダイレクション処理によって前記他の基地局に対する捕捉処理が終了し、この基地局に対する待受け状態に移行した後、所定の時間経過後に一斉に自端末で記憶している優先度の高い基地局を選択し、当該基地局へ向けて捕捉を行なう。この通信端末の処理をリセレクションと呼ぶ。そしてリセレクションの処理による捕捉処理が成功した場合に各通信端末は基地局に対して待受け状態となり一斉に位置登録の要求を行なう。
【０００４】
ここで、通信端末はリダイレクションの処理が終了した後にリセレクション処理を開始するまでの上記所定の時間の間隔を予めメモリなどに記憶しているが、この時間間隔が固定値であったため、リダイレクションの処理を行なった複数の通信端末が同時にリセレクションの処理を開始する。従って、リセレクション後の通信端末の処理である、基地局への位置登録の要求が多くなると、待受け切り替え先の基地局において、システム負荷が高くなり、これが障害の原因となる可能性があった。
【０００５】
そこでこの発明は、リダイレクション処理の後にリセレクションの処理を同時に行う通信端末が多いことで、当該リセレクションの処理の際に発生する位置登録の要求による基地局のシステム負荷を軽減することを目的とする、無線通信システムおよび無線通信方法、無線通信システムにおける通信端末とそのプログラムを提供することを目的としている。
【課題を解決するための手段】
【０００６】
上記目的を達成するために、本発明に係る無線通信システムは、複数の基地局と、前記複数の基地局のうちの所定の基地局に待ち受ける複数の通信端末とを備え、前記所定の基地局が、自基地局に対して待受け状態にある前記複数の通信端末に対して、所定の条件に応じて、他の基地局に対する捕捉の指示を示すリダイレクション情報を一斉に送信するリダイレクション情報送信手段を備える無線通信システムであって、前記通信端末は、前記一斉に送信されたリダイレクション情報の受信に基づいて、前記他の基地局に待ち受けるために捕捉処理を行なう捕捉処理手段と、前記リダイレクション情報の受信に基づく前記捕捉処理後の経過時間をカウントするカウント手段と、を備え、前記捕捉処理手段は、前記カウント手段によって乱数発生により生成されたカウンタ値までカウントされたときに、前記待ち受けている他の基地局より優先度の高い基地局に対して捕捉処理を行う
ことを特徴とする。
【０００７】
また本発明は、前記通信端末は、前記カウンタ値を乱数発生により生成するカウンタ値生成手段を備えることを特徴とする。
【０００８】
また本発明は、前記基地局は、前記カウンタ値を乱数発生により生成するカウンタ値生成手段を備え、前記リダイレクション情報と共に前記カウンタ値を前記通信端末へ送信することを特徴とする。
また、捕捉処理を行う基地局の優先度を記憶する捕捉優先度記憶手段をさらに備え、前記捕捉処理手段は、前記記憶された優先度に基づき、前記待ち受けている他の基地局より優先度の高い基地局に対して捕捉処理を行うことを特徴とする。
【０００９】
本発明に係る無線通信方法は、複数の基地局と、前記複数の基地局のうちの所定の基地局に待ち受ける複数の通信端末とを備え、前記所定の基地局が自基地局に待受け状態にある前記複数の通信端末に対して、所定の条件に応じて、他の基地局に対する捕捉の指示を示すリダイレクション情報を一斉に送信するリダイレクション情報送信手段を備える無線通信システムにおける無線通信方法であって、前記通信端末は、前記リダイレクション情報の受信に基づいて、前記他の基地局に待ち受けるために捕捉処理を行ない、前記リダイレクション情報の受信に基づく前記捕捉処理後の経過時間をカウントし、前記カウント手段によって乱数発生により生成されたカウンタ値までカウントされたときに、前記待ち受けている他の基地局よりも優先度の高い基地局に対する捕捉処理を実行することを特徴とする。
【００１０】
本発明に係る通信端末は、自基地局に対して待ち受け状態にある複数の通信端末に対して、所定の条件に応じて、他の基地局に対する捕捉の指示を示すリダイレクション情報を一斉に送信するリダイレクション情報送信手段を備えた基地局に待ち受け可能な通信端末であって、前記リダイレクション情報の受信に基づいて、前記他の基地局に待ち受けるために捕捉処理を行なう捕捉処理手段と、前記リダイレクション情報の受信に基づく前記捕捉処理後の経過時間をカウントするカウント手段と、を備え、前記捕捉処理手段は、前記カウント手段によって乱数発生により生成されたカウンタ値までカウントされたときに、前記待ち受けている他の基地局よりも優先度の高い基地局に対する捕捉処理を実行することを特徴とする。
【００１１】
本発明に係るプログラムは、複数の基地局と、前記複数の基地局のうちの所定の基地局に待ち受ける複数の通信端末とを備え、前記所定の基地局が自基地局に待受け状態にある複数の通信端末に対して、所定の条件に応じて、他の基地局に対する捕捉の指示を示すリダイレクション情報を一斉に送信するリダイレクション情報送信手段を備える無線通信システムにおいて実行させるプログラムであって、前記リダイレクション情報の受信に基づいて、前記他の基地局に待ち受けるために捕捉処理を行なう捕捉処理と、前記リダイレクション情報の受信に基づく前記捕捉処理後の経過時間をカウントするカウント処理と、前記捕捉処理は、前記カウント処理によって乱数発生により生成されたカウンタ値までカウントされたときに、前記待ち受けている他の基地局よりも優先度の高い基地局に対して捕捉処理を行うことを特徴とする。
【発明の効果】
【００１２】
この発明によれば、リセレクションの開始タイミングが乱数発生により生成したカウンタ値に基づいて、通信端末毎に異なるので、リセレクション処理に伴う補足処理後の位置登録の処理が重なることが少なくなる。これにより、リセレクションの処理の後に発生する位置登録の要求による基地局のシステム負荷を軽減することができる。
【発明を実施するための最良の形態】
【００１３】
以下、本発明の一実施形態による無線通信システムを図面を参照して説明する。
図１は同実施形態による無線通信システムの全体構成を示すブロック図である。
この図において、無線基地局Ａと無線基地局Ｂは、共にＣＤＭＡのデジタル移動通信方式を用いて通信端末２との間で無線通信を行なう。これら無線基地局Ａと無線基地局Ｂは、互いに異なる周波数帯（或いは周波数）の無線信号を用いて各通信端末２と無線通信を行い、無線基地局Ａと無線基地局Ｂは互いに異なる無線通信システムを構成し、これら複数の無線通信システムにより無線通信システム全体が構成されることとなる。ここで、各無線通信システムを構成する無線基地局Ａ、Ｂは説明の便宜上１つずつ示しているが、それぞれが複数の無線基地局を有して構成されるようにしてもよく、無線基地局Ａ、Ｂによる無線通信システム以外に、さらに多くの無線通信システムが存在していても良い。また通信端末２は無線基地局ＡまたはＢを有する無線通信システムとの無線通信接続や各無線通信システムでの各基地局との無線通信接続を、電波強度や、無線基地局からの指示に応じて切り替えることにより、常に無線通信システムや無線基地局との良好な無線通信接続待受けを維持する処理を行なう。
【００１４】
そして、無線基地局から他の基地局へ無線通信の接続先（待受け先）を切り替える処理のうち、無線基地局がGlobal Service Redirection Message（以下、リダイレクション情報と呼ぶ）を自基地局に対して待ちうけ状態にある通信端末２に送信することにより、リダイレクション情報を受信した通信端末２が他の無線基地局（無線通信システム）へ無線通信の待受け先を切り替える捕捉処理を行い、その後、一定の時間経過後に当該リダイレクションの処理を行なった通信端末２が、他の無線基地局＜リダイレクション処理前に接続していた無線基地局（無線通信システム）、またはそれ以外の無線基地局（無線通信システム）＞に対してリセレクションの処理を行なうことで、再度、無線通信の待受け先を切り替える。このリセレクションの処理の際の、待受け先の切り替え先の無線基地局における処理負荷の軽減を行う為の処理について、以下で説明する。
【００１５】
図２は通信端末の機能ブロック図である。
通信端末２は、自端末内の各処理部を制御する制御部２１、ＣＤＭＡのデジタル移動通信方式を用いて無線基地局と無線通信接続を行なう無線通信部２２、文字や操作指示などの入力を受付けるキー入力部２３、音を出力する音声出力部２４、液晶画面などに入力された文字列やその他情報を表示する表示部２５、リダイレクション処理を行なうリダイレクション処理部２６、リセレクション処理を行うリセレクション処理部２７、ＰＲＬ（Preferred Roaming List）などの各種情報を記憶する記憶部２８を備えている。
【００１６】
図３はＰＲＬのデータ構造を示す図である。
次に上記ＰＲＬについて説明する。
ＰＲＬは無線基地局（無線通信システム）の識別情報を保持したリストであり、予め通信端末２の記憶部２８で記憶される。そしてＰＲＬは、図３が示すように、BandClass（使用周波数帯域：以下ＢＣ）、channel（使用周波数、以下ＣＨ）、ＳＩＤ（システム識別子）、ＮＩＤ（ネットワーク識別子）、優先度など組合せの情報が複数保持されている。ここで、無線基地局ＡまたはＢには、異なる無線通信システムを構成するため、異なるＢＣ、ＣＨ、ＳＩＤ、ＮＩＤの情報が割り当てられている。そして、通信端末２は無線基地局から発信された信号（パイロット信号）を受信して、当該信号に含まれる情報と、ＰＲＬで保持された情報とを比較して、例えばＰＲＬにおいて保持されているＢＣ、ＣＨ、ＳＩＤ、ＮＩＤの情報を含む信号であり、電波強度が所定レベル以上の信号を発信している無線基地局を捕捉する。そして通信端末２は、捕捉処理が成功した無線基地局からの自端末に向けた情報の待受けを行なう。なおＰＲＬで保持されている優先度は、優先的に捕捉を行なう無線通信基地局（無線通信システム）を示すものであり、優先度「高」または「低」でＰＲＬ内で示される。この優先度は、例えば、通信端末２が優先度「高」の無線通信システムの無線基地局に対して待ちうけ状態にある状況において、何らかの事情が発生した場合に、通信端末２を使用頻度の低い優先度「低」の無線通信システムに対して待受けさせるような処理に利用される。
【００１７】
なお通信端末２は無線基地局からの自端末に向けた情報の待受けを行なうにあたり、自端末の位置登録の処理を捕捉した無線基地局に対して行なう。この位置登録の処理は、無線基地局から受信した接続開始情報（Sync）の受信に応じて、自端末の識別情報（端末ＩＤなど）を無線基地局に返信し、無線基地局で通信端末２の識別情報を保持することを言う。
【００１８】
また、通信端末２の記憶部２８にはAccess Overload Class（以下、ＡＣＣＯＬＣと呼ぶ）の情報が予め記憶されている。このＡＣＣＯＬＣは通信端末２をグループ分けする情報であり、無線基地局の切り替えの処理などに用いられる。例えば無線基地局が他の無線基地局への無線通信接続の切り替えを要求する際に、このＡＣＣＯＬＣの情報を切り替え要求の情報の中に格納する。すると通信端末２はＡＣＣＯＬＣの情報を確認し、自端末と同一のＡＣＣＯＬＣの情報である場合に、接続している無線基地局の切り替えの処理を開始する。
【００１９】
図４は無線通信システムの処理概要を示す第１の図である。
図５は無線通信システムの処理概要を示す第２の図である。
図６はリセレクション処理部の処理フローを示す図である。
図７は無線通信システムの処理概要を示す第３の図である。
図８は無線通信システムの処理概要を示す第４の図である。
次に、図４〜図８を用いて本実施形態における無線通信システムの処理フローについて説明する。
図４より、まず無線基地局Ａ（無線通信システム）には通信端末２ａ、２ｂ、２ｃの３台の通信端末２が待受け状態にあるとする。この通信端末２ａ、２ｂ、２ｃは記憶部２８において、同一のクラスを示すＡＣＣＯＬＣの情報を保持しているものとする。なお、無線基地局Ａには異なるＡＣＣＯＬＣの情報を記憶した通信端末２が待受け状態となっていてもよい。このような状況において無線基地局Ａは、自基地局などにおける通信障害（データ輻輳など）を検知すると、待受け中の通信端末２の良好な通信環境の維持を図るために、他の基地局（又は無線通信システム）への無線通信接続の待受け先の切り替えを示すリダイレクション情報を送信する。このリダイレクション情報には、少なくともＡＣＣＯＬＣの情報と、切り替え先の無線基地局（無線通信システム）Ｂの情報（ＢＣ、ＣＨ、ＳＩＤ、ＮＩＤなど）が格納されている。リダイレクションによる切り替え先の無線基地局Ｂは、優先度が「低」の無線基地局（無線通信システム）である。
【００２０】
次に無線基地局Ａに接続（待受け）している複数の通信端末２が無線基地局Ａから送信されたリダイレクション情報を受信する。この時リダイレクション情報を受信した各通信端末２においては、リダイレクション処理部２６が、当該リダイレクション情報に格納されているＡＣＣＯＬＣの情報を読み取る。そして、リダイレクション処理部２６は、読み取ったＡＣＣＯＬＣの情報と、自端末の記憶部２８で記憶している情報とを比較して、同一か否かを判定する。ここで、通信端末２ａ〜２ｃの記憶するＡＣＣＯＬＣの情報が、リダイレクション情報に格納されているＡＣＣＯＬＣの情報と一致したとする。すると通信端末２ａ〜２ｃのリダイレクション処理部２６はリダイレクション情報の受信に応じたリダイレクションの処理を開始する。つまり、ＡＣＣＯＬＣの情報によって特定されるグループに属した通信端末２がリダイレクションの処理を開始する。
【００２１】
通信端末２ａ〜２ｃのリダイレクション処理部２６はリダイレクションの処理を開始すると、まず、無線基地局Ｂに対する捕捉処理を行なうよう無線通信部２２に通知する。この捕捉処理においては、無線基地局Ａ以外の無線通信システムにおける無線基地局から送信されるパイロット信号をサーチし、サーチしたパイロット信号に自端末の短周期ＰＮ符号を同期させることにより、この無線基地局（無線通信システム）Ｂを補足する。その後、無線通信基地局Ｂからの信号に含まれる無線基地局の識別情報（ＢＣ、ＣＨ、ＳＩＤ、ＮＩＤなど）を読み取り、無線基地局Ｂの識別情報と一致する信号を選択して、無線基地局Ｂに対する捕捉処理を完了する。そしてこの捕捉処理が完了すると、制御部２１は、この補足した無線基地局Ｂに対して待受けを行うように無線通信部２２などを制御する。その後、リダイレクション処理部２６はリセレクション処理部２７に対してリセレクションの処理を開始するよう通知する。
【００２２】
次に、リセレクション処理部２７はリダイレクション処理部２６からリセレクション処理の開始の通知を受けると（ステップＳ１０１）、乱数を発生させて１つの値を生成する（ステップＳ１０２）。そしてリセレクション処理部２７は、当該生成した値をカウンタ値としてカウンタ用のメモリなどに登録し、そのカウンタ値で示される時間をカウントする（ステップＳ１０３）。このカウンタ値で示される時間は無線基地局Ｂに対する待受けを開始してからリセレクション処理を開始するまでの時間である。リセレクション処理部２７は、カウンタ値までカウントしたか否かを判定し（ステップＳ１０４）、カウンタ値に達すると、リセレクション処理を開始する。ここで、カウンタ値は乱数発生により生成された値であるので、リダイレクション指示（リダイレクションの情報の受信）に伴い、無線基地局Ａから他の無線基地局（或いは他の無線通信システム）へ切り替わった通信端末２ａ〜２ｃのそれぞれは、異なるカウンタ値に基づいて、リセレクション処理を開始する。つまり通信端末２ａ〜２ｃのリセレクションを開始する各タイミングが異なる。
【００２３】
図５より、カウンタ値が一番小さい通信端末２ａがリセレクション処理を開始したとする。カウンタ値の時間カウントした通信端末２ａのリセレクション処理部２７は、ＰＲＬにおいて優先度「高」に対応付けられている識別情報を特定し、この識別情報を有する無線基地局（無線通信システム）Ａに対する捕捉処理を行なう（ステップＳ１０５）。具体的には、この無線基地局Ａから送信されるパイロット信号をサーチし、このサーチしたパイロット信号に自端末の短周期ＰＮ符号を同期させることにより、この無線基地局（無線通信システム）Ａを補足する。そして、リセレクション処理部２７は、この補足した無線基地局Ａに障害が発生していない場合には、当該無線基地局Ａに対して位置登録の処理を行ない（ステップＳ１０６）、無線基地局Ａに対して待受けを行なう。なお、リセレクションを行なう際に補足する基地局は、無線基地局Ａとは異なる他の優先度「高」の無線基地局（無線通信システム）であってもよい。
【００２４】
次に図７より、カウンタ値が２番目に小さい通信端末２ｂがカウンタ値までのカウントに伴いリセレクション処理を開始したとする。このリセレクション処理は、上述の通信端末２ａの処理と同様である。また図８より、カウンタ値が一番長い通信端末２ｃがカウンタ値までのカウントに伴いリセレクション処理を開始する。この処理も上述の通信端末２ａの処理と同様である。
【００２５】
以上の処理により、リセレクションの開始タイミングが乱数発生により生成したカウンタ値に基づいて、通信端末毎に異なるので、リセレクション処理に伴う捕捉処理後の位置登録の処理が重なることが抑制される。これにより、リセレクションの処理の後に発生する位置登録の要求による基地局のシステム負荷を軽減することができる。
【００２６】
なお、上述の通信端末や無線基地局は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２８】
また、上述した実施形態では、無線基地局Ｂを備えた無線通信システムに対して待受けしている状態からリセレクション処理を行い、当該無線通信システムとは異なる無線基地局Ａを備えた無線通信システムに対する補足について説明したが、これに限定されることなく、同一の無線通信システム内にある複数の無線基地局に対して捕捉優先度を設定し、リセレクション処理に伴い同一無線通信システム内で当該捕捉優先度の高い他の無線基地局に対して補足する際のリレセレクション処理の開始タイミングを各端末で異ならせるように構成してもよい。
【図面の簡単な説明】
【００２９】
【図１】無線通信システムの構成を示すブロック図である。
【図２】通信端末の機能ブロック図である。
【図３】ＰＲＬのデータ構造を示す図である。
【図４】無線通信システムの処理概要を示す第１の図である。
【図５】無線通信システムの処理概要を示す第２の図である。
【図６】リセレクション処理部の処理フローを示す図である。
【図７】無線通信システムの処理概要を示す第３の図である。
【図８】無線通信システムの処理概要を示す第４の図である。
【符号の説明】
【００３０】
Ａ，Ｂ  無線基地局
２  通信端末
２１  制御部
２２  無線通信部
２３  キー入力部
２４  音声出力部
２５  表示部
２６  リダイレクション処理部
２７  リセレクション処理部
２８  記憶部
【図１】
0004727396.tif 000002
【図２】
0004727396.tif 000003
【図３】
0004727396.tif 000004
【図４】
0004727396.tif 000005
【図５】
0004727396.tif 000006
【図６】
0004727396.tif 000007
【図７】
0004727396.tif 000008
【図８】
0004727396.tif 000009